(57)【要約】      （修正有）【課題】回転支持器具が露呈することなく取付部分が美的にまとまりしかも風などでめくれてポールと旗類間に回し掛けられるようなことのないようにした片持式旗類掲揚装置の旗類支持構造を提供する。【解決手段】取付対象個所に所望の角度をなして支持されるポール１２と、上端の基袋部１５ａがポール外周に被さるようにして垂れ下げ式に設けられる旗類１５とでなる片持式旗類掲揚装置のポールと基袋部との内外間にセットされてポール周りにおいて基袋部側と同調して回転し得るように設けられる遊転軸受材２５を含む旗類支持構造であって、遊転軸受材は、ポール長手方向複数個所に対応するコイル状あるいはリング状の複巻部分２７，２８，３０を有しそれらの間が長手連結部分３１により繋がれてなっている。【選択図】図２
0003220642.tif 000002
【実用新案登録請求の範囲】
【請求項１】
取付対象個所に所望の角度をなして支持されるポールと、上端の基袋部がポール外周に被さるようにして垂れ下げ式に設けられる旗類とでなる片持式旗類掲揚装置の前記ポールと基袋部との内外間にセットされてポール周りにおいて基袋部側と同調して回転し得るように設けられる遊転軸受材を含む旗類支持構造であって、前記遊転軸受材は、ポール長手方向複数個所に対応するコイル状あるいはリング状の複巻部分を有しそれらの間が長手連結部分により繋がれてなっている片持式旗類掲揚装置の旗類支持構造。
【考案の詳細な説明】
【技術分野】
【０００１】  本考案は、片持式旗類掲揚装置の旗類支持構造に関する。
【背景技術】
【０００２】  例えば、市街地ビルの前面壁などには、取付ブラケットを介して片持式にポールを突設しそれを斜め上向きあるいは水平向きに保持するようにし、そのポールを介して日の丸表示・イベント表示などの標章をあらわした標識幕を吊下げることで市街地の環境美化に役立つようにしている。こうした場合の標識幕の吊下げ方法の一例としては、特許公報１に示すものがある。
【先行技術文献】
【特許文献】
【０００３】
【特許文献１】特許第４９４７５２５号
【考案の概要】
【考案が解決しようとする課題】
【０００４】  特許公報１の図３に示すものは、建物の前壁から持ち上げ状に張り出したポールに旗を垂れ下げて標識としたもので、ポールの前後には第１リングを掛けそれに第２リングと紐を介して旗に繋ぎ、ポールの前後には適宜リング状のストッパを配して第１リングが前後に移動しないようにして回転だけは自在にできるようにされている。
ところが、こうしたリングとストッパとを使った旗類掲揚装置は、リングやストッパなどの回転支持器具があらわに見えてしまって折角の美的標識の審美性が損なわれることになっていたし、旗類はその基部がポールから離れて垂れ下げられているため、風で旗類がめくれ上がった際にその離れた間に旗類の端縁部が回し掛けされて本来の標示機能が損なわれてしまうおそれがあった。【０００５】  本考案は、こうした問題を解決しようとするものであり、回転支持器具が露呈することなく取付部分が美的にまとまりしかも風などでめくれてポールと旗類間に回し掛けられるようなことのないようにした片持式旗類掲揚装置の旗類支持構造を提供することを目的とする。
【課題を解決するための手段】
【０００６】  本考案は上記目的を達成するため、請求項１に記載の考案は、取付対象個所に所望の角度をなして支持されるポールと、上端の基袋部がポール外周に被さるようにして垂れ下げ式に設けられる旗類とでなる片持式旗類掲揚装置の前記ポールと基袋部との内外間にセットされてポール周りにおいて基袋部側と同調して回転し得るように設けられる遊転軸受材を含む旗類支持構造であって、前記遊転軸受材は、ポール長手方向複数個所に対応するコイル状あるいはリング状の複巻部分を有しそれらの間が長手連結部分により繋がれてなっている。
旗類とは国旗・校旗・団体標章旗・店舗標章旗・イベント標章旗など表示内容を問わず広くその対象とし、また旗類の生地も薄く巻取りや繰出しの可能な布や樹脂など薄地材であってその形態も矩形に限定されず三角形などでもよい。ポールは、垂直や斜め角度、あるいは水平向きであってもよい。複巻とは複数回巻き回した状態の意味である。
【考案の効果】
【０００７】  上述したように請求項１に記載の考案は、取付対象個所に所望の角度をなして支持されるポールと、上端の基袋部がポール外周に被さるようにして垂れ下げ式に設けられる旗類とでなる片持式旗類掲揚装置の前記ポールと基袋部との内外間にセットされてポール周りにおいて基袋部側と同調して回転し得るように設けられる遊転軸受材を含む旗類支持構造であって、前記遊転軸受材は、ポール長手方向複数個所に対応するコイル状あるいはリング状の複巻部分を有しそれらの間が長手連結部分により繋がれてなっているので、回転支持器具が露呈することなく取付部分が美的にまとまりしかも風などでめくれてポールと旗類間に回し掛けられるようなことのないようにした片持式旗類掲揚装置の旗類支持構造を提供することができる。
【図面の簡単な説明】
【０００８】
【図１】  本考案の一実施形態を示す外観側面図。
【図２】  図１の要部拡大断面図。
【図３】  図２のＩＩＩ−ＩＩＩ線拡大断面図。
【図４】  他の実施形態を示す断面図。
【図５】  他の実施形態を示す断面図。
【図６】  他の実施形態を示す斜視図。
【図７】  他の実施形態を示す側面図。
【考案を実施するための形態】
【０００９】  以下、本考案である片持式旗類掲揚装置の旗類支持構造の一実施形態を図１ないし図３に基づいて説明する。
これらの図において、１は取付対象個所である外壁で、その高いところには、止着具２を介して取付ブラケット３が固定されている。この取付ブラケット３は、矩形をした基板４と、同基板４の前面に左右一対をなして突設された受板５，５とでなる。
【００１０】  ７は基部筒で、左右の受板５，５に設けた横支持軸８を介して上下に回転可能に取付支持されている。基部筒７は、水平向きに進退自在としたロックピン９を介して今水平な姿勢に固定支持されているが、このロックピン９を引き抜くと基部筒７は回転可能な状態になるので、基部筒７を例えば、図１の１５度線に沿うように持ち上げ下側の１５度用孔１０にロックピン９を差し込むことで基部筒７は上向き１５度に持ち上げられた姿勢でロックされることになる。ロックピン９の抜き差しなどの操作は例えば、ビル側の窓口から乗り出し操作によりなされる。取付ブラケット３や基部筒７などはＳＵＳやアルミ合金などの金属製や樹脂製のものとされる。
【００１１】  １２は丸パイプである金属あるいは樹脂製のポールである。このポール１２は、基部筒７に抜き差し自在で止着具１３により固定されるようになっている。旗類１５は例えば、アセテート製の標章表示薄地材でなり、その前後幅はＷである。ポール１２の先端と基部寄り手前個所には、止着具１６付き樹脂製等セットカラー１７および遊転式平座金１８…の各組が平座金１８，１８同士を軸方向前後に対向し合う形にしてセットされ、それら前後に離れた平座金１８，１８の間隔は前記Ｗより前後に数ｍｍ（５ｍｍ程度）ずつ長いものになっている。ポール１２の前後に配した平座金１８，１８の近くの外周には、短寸リング型をした遊転リング２０がポール１２に対して回転自在な形でポール１２の前後に一対配備されている。
【００１２】  遊転リング２０は金属あるいは樹脂などで造られポール１２の周りを自在に回転し得るようになっている。この遊転リング２０の外径は、旗類１５の上端である基袋部１５ａが緩く嵌り合う大きさになっており、止着具２１で基袋部１５ａ側に止め付けられて旗類１５とともに回転し得るようになっている。遊転リング２０の外周１個所には、外径方向に開放状をしたＵ字状端係合溝２２が形成されている。
【００１３】  ２５は遊転軸受材で全長（自然長）は旗類１５の幅Ｗに相当し、ＳＵＳやアルミ合金あるいはスチールなどの金属製もしくは樹脂製の専用コイルバネ（丸線径１〜２ｍｍ）でなり、直線状の端部２６を備えた先側複巻（５周巻）部分２７と２個所の中途複巻（３数巻）部分２８，２８および端部２９付き基側複巻（５周巻）部分３０とを有するとともに、先側複巻部分２７と先側中途複巻部分２８との間ならびに先側中途複巻部分２８と基側複巻部分２８との間、さらに、基側複巻部分２８と基側複巻部分３０との間は、ポール１２の長手連結部分３１により一体的に繋がれてなっている。
【００１４】  各複巻部分２７，２８，３０はポール１２の外周より少し大きな直径で基袋部１５ａよりは小さいものとなっている。端部２６，２９は前記端係合溝２２，２２の溝内に係合していて遊転リング２０を介して旗類１５と遊転軸受材２５とが同期的に回転し得るようになっている。３３は旗玉でポール１２に抜き差し自在な状態で止着具３４により止め付けられており、止着具３４が取り外された状態では前後のセットカラー１７，１７を含むその間の構成部材は抜き差しが自在になっている。
【００１５】  これらの構成部材はポール１２の基端側を通じて抜き差しすることは自由にできる。旗類１５の基袋部１５ａには、遊転リング２０の止着具２１，２１が通される孔が開けられるが、その部分の強さを確保するため孔周りを樹脂で固めたりあるいは図３のように樹脂座３５を設けたりする。
【００１６】  この旗類掲揚装置を組み立てるため、例えば、ポール１２の外周には、基部側セットカラー１７の位置を決めるための目安表示Ｘを付しておく。このＸ位置は図２のネジあるいはロールピンなどのストッパ３７に代えて構成してもよい。
基部筒７から抜き旗玉３３を外したフリーな状態のポール１２に対し、例えば、図２の先側からセットカラー１７を入れてＸ位置までもってゆき止着具１６により固定しておく。そのあと平座金１８と遊転リング２０をセットし、つぎにポール１２の周りにバネ材である遊転軸受材２５をセットする。
【００１７】  そのあと先側の平座金１８とセットカラー１７をセットする。前後の端部２９は各端係合溝２２内に挿し込むとともに被せた旗類１５の基袋部１５ａを止め２１，２１を介して両セットカラー１７，１７側に固定する。そのあと、先側のセットカラー１７を止着具１６で固定するとともにポール１２の先端に旗玉３３を挿し込んで止着具３４で固定して組立ては完了する。
この旗類支持構造によれば、従来のように回転支持器具が露呈することなく取付部分が美的にまとまりしかも風などでめくれてポールと旗類間に回し掛けられるようなことがなくなる。
【００１８】  前記遊転軸受材２５は、丸線材としてあったが、細幅平板をラセン状にしたものであってもよい。平板の角部は旗に傷がつかないように丸目にしておくこととする。
また、前記実施形態ではセットカラー１７と止着具１６とを介して基袋部１５ａをポール１２側に止めてあったが、図４に示すように、基袋部１５ａの周部と先側複巻部分２７とを傷の付きにくい線条材４０で結び止めたりあるいは旗類１５に設けたハトメ４１を利用して図示しない線条材で掛け止めるようにしてもよい。遊転軸受材２５の端末部２５ａは旗類１５を傷めないように丸く処理するものとする
【００１９】  さらに、長手連結部分３１は直条線状であったが、図４の仮想線のように、ラセン状部分を長く伸ばした延伸状長手連結部分４２とすることがある。この延伸状連結部分４２は、図２に示す実施形態にも適用できる。
また、前記実施形態では遊転軸受材２５が前後と中途個所にのみラセンをもつものであったが、図４の下欄のように、全長に亘ってラセンをもつものにしてもよい。
【００２０】  さらに、前記実施形態では遊転軸受材２５がラセンを基本とするものであったが、図５に示すように、複列リング４４…を前後および中途にそれぞれ複数本ずつ並列に配してそれらを長手連結材４５で繋いでリング型遊転軸受材４６を構成してもよい。この場合、複列リング４４は、図５のように平板をリング状にしたものや図６のように丸線材をリング状にしたものなどがある。図５の長手連結材４５は丸線材や平板材などのいずれでもよい。長手連結材４５は図６のように複数本であってもよい。図５に示す複列リング４４には止着具２１を介して基袋部１５ａを止め付けるようにしてもよい。
【００２１】  図７に示すように、複列リング４８に長手連結材ａ、ｂ、ｃを備えて分割した形式の遊転軸受材４９にしてコンパクト化して運べるようにしておき、送り先で止着具５０…を介して１本に繋ぎ使用できるようにしてもよい。
【符号の説明】
【００２２】  １…外壁  ３…取付ブラケット  ７…基部筒  １２…ポール  １５…旗類
１５ａ…基袋部  ２０…遊転リング  ２５…遊転軸受材。
【図１】
0003220642.tif 000003
【図２】
0003220642.tif 000004
【図３】
0003220642.tif 000005
【図４】
0003220642.tif 000006
【図５】
0003220642.tif 000007
【図６】
0003220642.tif 000008
【図７】
0003220642.tif 000009